(57)【要約】【課題】未接続の電気コネクタを外部の静電気等から保護するのには、電気コネクタを閉塞する閉塞板等が必要となり、そのぶん部品点数が増えコスト高になる。【解決手段】電子機器ユニット１は、未接続の電気コネクタ４を閉塞する閉塞板を取り付け、該閉塞板により電気コネクタ４を閉塞する。閉塞板に意匠銘板１１を使用し、意匠銘板１１の電気コネクタ対向部に環状のスリット１４を設ける。スリット１４の幅の一部を拡大して切断工具挿入孔１５を設ける。環状のスリット１４を第１スリット構成部１４ａ〜第４スリット構成部１４ｄで構成して、これら第１スリット構成部１４ａ〜第４スリット構成部１４ｄ相互間に、環状のスリット１４の内周側と外周側を連結する連結部１７を形成した。【選択図】図１
2015032764.tif 000002
【特許請求の範囲】
【請求項１】
未接続の電気コネクタを閉塞する閉塞板を取り付け、該閉塞板により前記電気コネクタを閉塞した電子機器ユニットにおいて、
前記閉塞板に意匠銘板を使用し、該意匠銘板の前記電気コネクタの対向部に、一箇所以上の連結部を有する環状のスリットと、前記連結部を切断する切断工具の先端を挿入する切断工具挿入孔を設けることにより形成されていることを特徴とする電子機器ユニット。
【請求項２】
前記環状のスリットは、矩形状に形成され、前記切断工具挿入孔は、矩形状のスリットの一辺の中央部に円形状に形成されていることを特徴とする請求項１記載の電子機器ユニット。
【請求項３】
前記環状のスリットは、矩形状に形成され、前記切断工具挿入孔は、矩形状のスリットの一辺のスリット幅を拡大させることにより形成されていることを特徴とする請求項１記載の電子機器ユニット。
【発明の詳細な説明】
【技術分野】
【０００１】
本発明は、未接続の電気コネクタを閉塞する閉塞板を取り付け、該閉塞板により前記電気コネクタを閉塞することにより、輸送時等において外部からの静電気によってユニット内部の部品類の破損を防止する電子機器ユニットに関するものである。
【背景技術】
【０００２】
前記電気コネクタを閉塞する方法として、以下の３つの方法が採られている。
（１）電気コネクタに合わせたキャップを樹脂成形等により形成する。電気コネクタを接続使用する場合には、キャップを外す。
（２）電気コネクタの上を板金や樹脂製の閉塞板で塞ぐ。電気コネクタを接続使用する場合には、閉塞板を外す。
（３）電気コネクタの上からシールを貼り付ける。電気コネクタを接続使用する場合には、シールを剥がす。
【０００３】
上記（２）の電気コネクタの上を板金や樹脂製の閉塞板で塞ぐ方法としては、
特許文献１，２がある。
【先行技術文献】
【特許文献】
【０００４】
【特許文献１】実用新案出願公開  昭５８−１２６２５１号
【特許文献２】特開２００４−２５３５９１号公報
【発明の概要】
【発明が解決しようとする課題】
【０００５】
ところで、上記従来の電気コネクタの閉塞方法には、次に述べるような問題点があった。
（１）キャップを使用する場合は、キャップを別パーツとすることで部品点数が増えてコストアップの原因になる。電気コネクタの種類や極数に応じたものを用意する必要があるので、パーツの種類が多くなる。パーツを樹脂成形品で製作する場合、金型費が掛かり、イニシャルコストが発生する。
（２）板金や樹脂製の閉塞板を使用する場合も、閉塞板を別パーツとすることで部品点数が増えてコストアップの原因になる。また、閉塞板を取り付けるネジ等が必要となる。閉塞板を取り付けるための取付孔などを設ける必要があり、その取付孔のためのスペースが必要となる。また、電気コネクタの周辺に閉塞板を取り付けるためのスペースが必要となり電子機器ユニットの小型化の妨げになる。
（３）シールを使用する場合も、シールを別パーツとすることで部品点数が増えてコストアップの原因になる。シールの密着性が悪いと剥がれてしまう危険性がある。密着性を確保するためには、シールのサイズを電気コネクタの孔よりも大きくする必要がある。そのために、電気コネクタの周辺にはスペースが必要となり電子機器ユニットの小型化の妨げになる。
【０００６】
本発明は、上記閉塞板として、コネクタの用途や取り付けられる電子機器の機器名等の識別子を記載した意匠銘板を用いることにより部品点数の削減を図るとともに、該意匠銘板の一部を切断、除去して、電気コネクタの閉塞を解除可能にしたものである。
【課題を解決するための手段】
【０００７】
本発明は、未接続の電気コネクタを閉塞する閉塞板を取り付け、該閉塞板により前記電気コネクタを閉塞した電子機器ユニットにおいて、
前記閉塞板に意匠銘板を用い、該意匠銘板の前記電気コネクタ対向部に、一箇所以上の連結部を有する環状のスリットと、該スリットの一部を拡大して前記連結部を切断する切断工具の先端を挿入する切断工具挿入孔を設けた。
【発明の効果】
【０００８】
閉塞板に意匠銘板を用いて、閉塞板と意匠銘板を一体化したので、従来の閉塞板と意匠銘板を別々に形成したもの、例えば、特許文献２の段落［００１５］〜［００１７］に記載されている閉塞板上に識別子を表示したシールを貼り付けるものに比べて部品点数の削減を図ることができる。
【０００９】
また、切断工具の一端部を切断工具挿入孔に挿入し、切断工具の他端部を電子機器ユニット側に押し付ければ、切断工具は、梃子のように作用して、意匠銘板を内側から加圧して、前記連結部を切断されたスリットの内側部分を意匠銘板の外側に取り出すことができる。
【図面の簡単な説明】
【００１０】
【図１】意匠銘板を取り外した電子機器ユニットの斜視図。
【図２】図１の要部の拡大図。
【図３】意匠銘板を取り付けた電子機器ユニットの斜視図。
【図４】図３の要部の拡大図。
【図５】スリットと切断工具挿入孔の説明図。
【図６】図５のＡ−Ａ断面図。
【図７】切断方法を示す説明図。
【図８】スリットと切断工具挿入孔の他の実施例の説明図。
【図９】切断方法を示す説明図。
【発明を実施するための形態】
【００１１】
以下、図面を参照して本発明の実施の形態を説明する。
図１は、電子機器ユニット１を示す。電子機器ユニット１は、一側面１ａの下部に、コネクタ配置部２を備えている。コネクタ配置部２には、各種の機器を接続する複数の機器接続コネクタ３…３及び電気コネクタ４が設けられている。前記コネクタ配置部２の前面には、前記機器接続コネクタ３…３および電気コネクタ４を覆う意匠銘板１１が取り付けられる。
【００１２】
図２に示すように、意匠銘板１１には、前記機器接続コネクタ３…３に対向する位置にそれぞれ貫通孔１２…１２が形成されているとともに、これら貫通孔１２…１２の側方には、前記機器接続コネクタ３…３の用途や取り付けられる機器名等を表示する識別子１３…１３が表示されている。
【００１３】
また、意匠銘板１１は、前記電気コネクタ４と対向する位置に環状のスリット１４を備え、該スリット１４の一部に後記する切断工具１８の先端部を挿入する切断工具挿入孔１５を備えている。前記環状のスリット１４の外側には、電気コネクタ４を表示する識別子１６が形成されている。
【００１４】
図３，図４に示すように、コネクタ配置部２に意匠銘板１１を取り付けると、前記複数の貫通孔１２…１２が前記電子機器ユニット１の複数の機器接続コネクタ３…３に連なって、各種の機器が接続可能になるとともに、前記電気コネクタ４の前面側は、意匠銘板１１で覆われて、輸送時等に静電気が電気コネクタ４からユニットに入力されてユニット内部の部品類が破損するのを防止する。
【００１５】
図５に拡大して示すように、前記スリット１４は、電気コネクタ４の外形に沿わせて形成した第１スリット構成部１４ａ〜第４スリット構成部１４ｄにより構成されている。
【００１６】
前記切断工具挿入孔１５は、前記第１スリット構成部１４ａの中央部に円形状
に形成されている。
【００１７】
第１スリット構成部１４ａと第２スリット構成部１４ｂの間、第２スリット構成部１４ｂと第３スリット構成部１４ｃの間、第３スリット構成部１４ｃと第４スリット構成部１４ｄの間、第４スリット構成部１４ｄと第１スリット構成部１４ａの間には、それぞれ連結部１７が設けられている。
【００１８】
図６は、図５のＡ−Ａ断面図であり、前記連結部１７の肉厚Ｔは、０．３ｍｍ前後に形成されている。なお、前記スリット１４の幅Ｗは、前記肉厚Ｔと同程度に形成されている。
【００１９】
図７は、切断工具１８で前記連結部１７を切断して、意匠銘板１１の電気コネクタ対向部を開放する方法の一例を示す説明図である。図７に示すように、切断工具１８は、金属等で丸棒状に形成されている。そして、丸棒状の切断工具１８の一端部（先端部）を切断工具挿入孔１５に挿入して他端部を矢頭Ａ方向に押して、電子機器ユニット１側に押し付けるようにすれば、切断工具１８は、梃子作用により意匠銘板１１の電気コネクタ対向部を内側から加圧して前記連結部１７を破断して、電気コネクタ対向部を除去、開放し、電気コネクタ４への電源の接続を可能にする。
【００２０】
実施形態の電子機器ユニット１は、上述のような構成であり、コネクタ配置部２に意匠銘板１１を取り付け、該意匠銘板１１で、電気コネクタ４の前面側を覆うことにより、輸送時等に静電気が電気コネクタ４からユニットに入力されてユニット内部の部品類が破損するのを防止することができる。
【００２１】
また、輸送終了後、電気コネクタ４に電源を接続する際には、上述したように、切断工具１８の一端部を切断工具挿入孔１５に挿入して切断工具１８の他端部を電子機器ユニット１側に押し付ければ、切断工具１８の梃子作用で意匠銘板１１の電気コネクタ対向部は、内側から加圧されて前記連結部１７を破断して、電気コネクタ対向部は除去、開放されて、電気コネクタ４への電源の接続が可能になる。
【００２２】
図８、図９は他の実施の形態を示す。この実施形態においては、切断工具挿入孔１５は、前記第１スリット構成部１４ａのスリット幅Ｗを拡大させることにより形成されている。切断工具挿入孔１５は、第１スリット構成部１４ａの長さ方向の広域にわたって形成されているので、切断工具１８として幅の広い箆（へら）状のものを使用することができる。なお、上記実施形態においては、連結部１７を環状のスリット１４の４箇所に設けた場合を示したが、連結部１７は何個設けても良い。また、連結部１７の肉厚Ｔやスリット１４の幅Ｗは、意匠銘板１１の材質や肉厚等を考慮して適宜設定される。
【符号の説明】
【００２３】
１…電子機器ユニット
２…コネクタ配置部
３…機器接続コネクタ
４…電気コネクタ
１１…意匠銘板
１２…機器接続コネクタ
１３…識別子
１４…環状のスリット
１４ａ…第１スリット構成部
１４ｂ…第２スリット構成部
１４ｃ…第３スリット構成部
１４ｄ…第４スリット構成部
１５…切断工具挿入孔
１６…識別子
１７…連結部
１８…切断工具
【図１】
2015032764.tif 000003
【図２】
2015032764.tif 000004
【図３】
2015032764.tif 000005
【図４】
2015032764.tif 000006
【図５】
2015032764.tif 000007
【図６】
2015032764.tif 000008
【図７】
2015032764.tif 000009
【図８】
2015032764.tif 000010
【図９】
2015032764.tif 000011